(57)【要約】【課題】筐体２２に外方に突出して設けられ、筐体２２の挿入孔２４に一端部を挿入することで簡単に固定でき、しかも引き抜く方向の力に対して充分な強度が得られるアンテナ装置５０を提供する。【解決手段】コア部材１０の一端部を筒状とし、この筒状に挿入方向で開いたコ字状のスリット４２を設けて挿入方向を連結側とし反対側を遊端する舌片を設け、この舌片の遊端側が径方向で外方に突出するように連結側よりテーパ状に厚くしてフック４０を形成する。コア部材１０の一端部を筐体２２の挿入孔２４へ挿入すると、フック４０が径方向内側に弾性変形されて挿入が許容され、フック４０の遊端面４０ａが筐体２２の裏側に到達するとフック４０が弾性復帰し、筐体２２の裏面に遊端面４０ａを係合させて固定する。引き抜き方向の強い力に対して、フック４０は径方向内側に弾性変形されて逃げることがなく、強固に対抗できる。【選択図】  図１
2004193883.tif 000002
【特許請求の範囲】
【請求項１】
通信機筐体に穿設した挿入孔に、アンテナエレメントを配設したコア部材の一端部を挿入し、前記一端部に設けた挿入方向と略直交方向に弾性変形可能なフックを前記筐体に係合させて固定するアンテナ装置において、前記コア部材の一端部に前記挿入方向を連結して前記挿入方向と反対側を遊端とする舌片を設けるとともに前記舌片の前記遊端側を前記略直交方向で外方に前記連結側よりテーパ状に突出させて前記フックを形成し、前記コア部材の一端部を前記筐体の挿入孔へ挿入することで、前記フックの遊端面が前記筐体に係合して固定するように構成したことを特徴とするアンテナ装置。
【請求項２】
通信機筐体に穿設した挿入孔に、アンテナエレメントを配設したコア部材の一端部を挿入し、前記一端部に設けた挿入方向と略直交方向に弾性変形可能なフックを前記筐体に係合させて固定するアンテナ装置において、前記コア部材の一端部を筒状とし、前記筒状に前記挿入方向で開いたコ字状のスリットを設けて前記挿入方向と反対側を遊端する舌片を設けるとともに前記舌片の前記遊端側が前記略直交方向で外方に突出するようにテーパー状に厚くして前記フックを形成し、前記コア部材の一端部を前記筐体の挿入孔へ挿入することで、前記フックの遊端面が前記筐体に係合して固定するように構成したことを特徴とするアンテナ装置。
【発明の詳細な説明】
【０００１】
【発明の属する技術分野】
本発明は、携帯電話機の筐体に外方に突出して設けられるアンテナ装置であって、筐体の挿入孔に一端部を挿入することで簡単に固定することのできるアンテナ装置に関するものである。
【０００２】
【従来の技術】
従来のこの種のアンテナ装置の一例を図７ないし図９を参照して説明する。図７は、従来のアンテナ装置の一例の縦断面図である。図８は、図７のＡ−Ａで断面したコア部材などの拡大矢視断面図である。図９は、従来例の不具合を説明する拡大要部縦断面図である。
【０００３】
図７ないし図９において、絶縁樹脂などからなる略円筒状のコア部材１０の一端部に、挿入方向を遊端として径方向（挿入方向と略直交方向）に弾性変形可能なフック１２が形成される。このフック１２の遊端側に、外方に突出する係合突部１２ａが形成される。コア部材１０の他端側および中央部の外周には、アンテナエレメント１４が適宜に巻回固定される。そして、アンテナエレメント１４を覆うように絶縁樹脂などからなるカバー１６がコア部材１０の他端側および中央部に被せられて適宜に固定される。さらに、コア部材１０の一端側の円筒状内部に円筒状の形成された導電プレート１８が挿入され、アンテナエレメント１４の基端が適宜に電気的接続される。導電プレート１８は、フック１２が内側に弾性変形できるように、適宜な切り欠きまたは変形がなされている。
【０００４】
かかる構造のアンテナ装置２０が、携帯電話機などの通信機の筐体２２に穿設された挿入孔２４にその一端部が挿入されると、図９に示すごとく、フック１２は内側に弾性変形して挿入が許容され、フック１２の係合突部１２ａが挿入孔２４の裏側に到達すると弾性復帰し、係合突部１２ａが筐体２２の裏面に係合して、アンテナ装置２０が外方に抜けないように固定される。一端部を挿入するという簡単な作業で、アンテナ装置２０を筐体２２から抜け出ないようにして、アンテナ装置２０を筐体２２の外方に突出した状態で固定することができる。
【０００５】
【発明が解決しようとする課題】
上述の従来のアンテナ装置２０の一例にあっては、筐体２２に対して固定する作業は容易であるが、固定されたアンテナ装置２０を筐体２２から引き抜く方向の力に対して、充分な強度が得られない、という不具合があった。
【０００６】
すなわち、引き抜く方向の力によって、フック１２の係合突部１２ａまたはこの係合突部１２ａが当接する筐体２２の挿入孔２４の周縁が少しでも破損されると、また破損されなくとも、フック１２が挿入の際と同方向の内側へ逃げるように弾性変形され易い。そして、このフック１２が内側へ逃げるように弾性変形することで、容易に引き抜かれてしまう、という不具合が生ずる。なお、引き抜く方向の力に対して対抗すべく、フック１２および係合突部１２ａを堅牢に構成するならば、挿入孔２４への挿入の際に、フック１２が必要なだけの弾性変形ができずに破損する虞が生ずる。そこで、引き抜く方向の力に対して、従来は必ずしも充分な強度が得られていなかった。
【０００７】
本発明は、上述のごとき従来技術の事情に鑑みてなされたもので、引き抜く方向の力に対して、充分な強度が得られるようにしたアンテナ装置を提供することを目的とする。
【０００８】
【課題を解決するための手段】
かかる目的を達成するために、本発明のアンテナ装置は、通信機筐体に穿設した挿入孔に、アンテナエレメントを配設したコア部材の一端部を挿入し、前記一端部に設けた挿入方向と略直交方向に弾性変形可能なフックを前記筐体に係合させて固定するアンテナ装置において、前記コア部材の一端部に前記挿入方向を連結して前記挿入方向と反対側を遊端とする舌片を設けるとともに前記舌片の前記遊端側を前記略直交方向で外方に前記連結側よりテーパ状に突出させて前記フックを形成し、前記コア部材の一端部を前記筐体の挿入孔へ挿入することで、前記フックの遊端面が前記筐体に係合して固定するように構成されている。
【０００９】
また、通信機筐体に穿設した挿入孔に、アンテナエレメントを配設したコア部材の一端部を挿入し、前記一端部に設けた挿入方向と略直交方向に弾性変形可能なフックを前記筐体に係合させて固定するアンテナ装置において、前記コア部材の一端部を筒状とし、前記筒状に前記挿入方向で開いたコ字状のスリットを設けて前記挿入方向と反対側を遊端する舌片を設けるとともに前記舌片の前記遊端側が前記略直交方向で外方に突出するようにテーパー状に厚くして前記フックを形成し、前記コア部材の一端部を前記筐体の挿入孔へ挿入することで、前記フックの遊端面が前記筐体に係合して固定するように構成しても良い。
【００１０】
【発明の実施の形態】
以下、本発明の第１実施例を図１ないし図５を参照して説明する。図１は、本発明のアンテナ装置の第１実施例の縦断面図である。図２は、図１の要部の外観斜視図である。図３は、図１の要部の構造を示す図であり、（ａ）は平面図、（ｂ）は正面図、（ｃ）は右側面図、（ｄ）は（ａ）のＢ−Ｂ矢視断面図である。図４は、挿入の際のフックの弾性変形を示す図である。図５は、引き抜き方向の力に対するフックの作用を説明する図である。図１ないし、図５において、図７ないし図９で示した部材と同じまたは均等なものは、同じ符号を付けて重複する説明を省略する。
【００１１】
図１ないし図５に示す第１実施例が、図７ないし図９に示す従来例と相違するところは、フック４０の構造にある。略円筒状のコア部材１０の一端側に、挿入方向が開いたコ字状のスリット４２を設けて、挿入方向が連結側でその反対側が遊端とする舌片が形成され、この舌片は遊端側がより径方向外方に突出するようにテーパー状の厚さとされてフック４０が形成される。コア部材１０の一端側の円筒内に挿入される円筒状の形成された導電プレート１８には、フック４０が径方向（挿入方向と略直交方向）の内側に弾性変形できるように、適宜に切り欠きまたは変形がなされている。
【００１２】
かかる構成の本発明のアンテナ装置５０は、筐体２２の挿入孔２４への挿入の際には、図４に示すごとく、フック４０は挿入孔２４の内壁にテーパー状の外壁を弾接させて径方向内側に弾性変形して、挿入が許容される。フック４０の遊端面４０ａが筐体２２の裏側に到達すれば、フック４０は弾性復帰し、図１のごとく、フック４０の遊端面４０ａが筐体２２の裏面に当接して係合し、引き抜き方向の力に対抗する。もって、アンテナ装置５０が筐体２２に固定される。
【００１３】
ところで、引き抜き方向の強い力に対して、本発明のアンテナ装置５０にあって、図５のごとく、フック４０の遊端面４０ａに強い力が作用すると、フック４０を挿入の際とは反対側の径方向外側に弾性変形させるように力が作用するが、この径方向外側に変形させる力は僅かであり、主としてフック４０を挿入方向に剪断する力が作用する。ここで、フック４０の挿入方向の長さは、従来の係合突部１２ａに比較して構造的に長く設定されているので、それだけ大きな力に対抗し得る。
【００１４】
発明者らの実験によれば、従来例にあっては約６〜７ｋｇの力によって引き抜かれていたものが、約同寸法に形成した本発明のアンテナ装置５０では、約１８ｋｇ程度までの引き抜き方向の力に対抗することができた。
【００１５】
次に、本発明の第２実施例を図６を参照して説明する。図６は、本発明のアンテナ装置の第２実施例の構造を示す図であり、（ａ）は縦断面図、（ｂ）は正面外観図、（ｃ）は（ａ）のＣ−Ｃ矢視断面図である。図６において、図１ないし図５および図７ないし図９に示す部材と同じまたは均等なものには、同じ符号を付けて重複する説明を省略する。
【００１６】
図６に示す第２実施例において、図１ないし図５に示す第１実施例と相違するところは、以下の構造にある。まず、第１実施例にあっては、コア部材１０が略円筒状であって、その一端部の円筒状内部に導電プレート１８が挿入され、この導電プレート１８を介して、アンテナエレメント１４の基端が筐体２２内に収容されるＲＦ回路などに電気的接続がなされていた。しかるに、第２実施例では、導電プレート１８に代えて、アンテナエレメント１４の基端より、導出部１４ａをコア部材１０の側壁に沿って一端部まで配設して適宜に導出することで、アンテナエレメント１４の基端がＲＦ回路などに電気的接続される構成とされている。そこで、コア部材１０の一端部は中実の略棒状であっても良く、円筒状である必要がない。そこで、コア部材１０の一端部を中実な略棒状とし、この中実なコア部材１０の一端部に、挿入方向を連結側として挿入方向と反対側を遊端とする舌片が設けられ、しかもこの舌片を遊端側が径方向外方にテーパー状に突出させてフック６０が形成されている。
【００１７】
かかる構成のアンテナ装置７０は、挿入の際に、フック６０が径方向内側に弾性変形して挿入を許容し、引き抜き方向の力に対して、筐体２２の裏面にフック６０の遊端面６０ａが当接して抜けが阻止され、もってアンテナ装置７０が筐体２２に簡単に固定される。しかも、引き抜き方向の強い力に対して、フック６０は、第１実施例と同様に、挿入の際とは反対側の径方向外側に弾性変形されることとなり、強固に対抗することができる。そして、第２実施例では、フック６０を中実なコア部材１０の一端部に、自由に設けることができる。
【００１８】
なお、上記実施例では、コア部材１０の一端部および筐体２２の挿入孔２４が円形であることを想定して説明したが、コア部材１０の一端部の断面形状および挿入孔２４は、円形に限られず、角形や楕円形であっても良い。そこで、フック４０，６０は、挿入方向に対して略直交方向に弾性変形できれば良い。
【００１９】
【発明の効果】
以上説明したように本発明のアンテナ装置は構成されているので、以下のごとき格別な効果を奏する。
【００２０】
請求項１または２記載のいずれのアンテナ装置にあっても、引き抜き方向の力に対して、フックは挿入の際と同方向に弾性変形して逃げることがなく、それだけ強い力に対抗することができる。
【図面の簡単な説明】
【図１】本発明のアンテナ装置の第１実施例の縦断面図である。
【図２】図１の要部の外観斜視図である。
【図３】図１の要部の構造を示す図であり、（ａ）は平面図、（ｂ）は正面図、（ｃ）は右側面図、（ｄ）は（ａ）のＢ−Ｂ矢視断面図である。
【図４】挿入の際のフックの弾性変形を示す図である。
【図５】引き抜き方向の力に対するフックの作用を説明する図である。
【図６】本発明のアンテナ装置の第２実施例の構造を示す図であり、（ａ）は縦断面図、（ｂ）は正面外観図、（ｃ）は（ａ）のＣ−Ｃ矢視断面図である。
【図７】従来のアンテナ装置の一例の縦断面図である。
【図８】図７のＡ−Ａで断面したコア部材などの拡大矢視断面図である。
【図９】従来例の不具合を説明する拡大要部縦断面図である。
【符号の説明】
１０  コア部材
１２，４０，６０  フック
１４  アンテナエレメント
１６  カバー
１８  導電プレート
２０，５０，７０  アンテナ装置
２２  筐体
２４  挿入孔
４０ａ，６０ａ  遊端面
４２  コ字状のスリット
【図１】
2004193883.tif 000003
【図２】
2004193883.tif 000004
【図３】
2004193883.tif 000005
【図４】
2004193883.tif 000006
【図５】
2004193883.tif 000007
【図６】
2004193883.tif 000008
【図７】
2004193883.tif 000009
【図８】
2004193883.tif 000010
【図９】
2004193883.tif 000011